(57)【特許請求の範囲】
【請求項１】
モ―タ―ファンからなる電動送風装置、集塵装置を内蔵し、一部に吸排気口を有する本体外壁表面に光触媒処理を施し、前記吸排気口を構成する部材表面に光触媒処理を施し、前記本体を本体前、本体後で構成し、前記ファン表面に接触して流れる空気中の殺菌と有害ガス成分を除去するように前記ファンの表面に光触媒処理を施すと共に前記本体後を透明な材料で形成し、紫外線光を透過させ、空気中の亜硫酸ガスの有害ガス成分が光触媒により酸化されイオン化した酸化生成物に変えられ鉄系金属酸化物と結合して塩を生成し酸化生成物を捕捉することを特徴とする空気清浄器。
【請求項２】
前記本体、前記吸排気口を構成する部材、前記ファンを形成する材料に光触媒処理材を練り込むことにより同光触媒処理を施した請求項１記載の空気清浄器。
【発明の詳細な説明】
【０００１】
【発明の属する技術分野】
本発明は、空気清浄器に関するもので、空気の浄化、有害ガスの除去、構成部品、または本体全体の防汚やメンテナンスの向上に関するものである。
【０００２】
【従来の技術】
従来、この種の空気清浄器は、例えば図５、図６に示すような構造になっていた。１は格子状の吸気口１ａを本体前面に有するフロントグリル、２は中間部を成す本体前、３は後部を成し、裏側面に壁掛け金具４と下げ手部５を有する本体後、６は本体前２と本体後３との間に形成された渦室で、内部にはモーター７に連結されたファン８から成る送風装置を有している。本体前２の前面には吸い込み口９とリブ１０が設けられており、リブ１０はその前面に位置し、脱臭用の活性炭フィルター１１ａと集塵用の帯電フィルター１１ｂより形成された集塵装置のフィルター１１を支持している。
【０００３】
吸い込み口９は、本体内のモーター７及びファン８と連通している。１２は本体前２と本体後３に挟み込まれた格子状の排気口１２ａを有する排気口グリル、１３は本体前２の前面上部に設けられた切り替えスイッチ部で、内部に制御回路部１４を有し、運転操作は、切り替えスイッチ部１３により操作することができる。上記フロントグリル１は、下部に形成した引っ掛け部１５を本体前２の下方の突出部１６に形成した嵌合穴１７に挿入し、次に、上部左右の両側に設けた係部１８と本体前２の取っ手部１９の近くに設けた爪２０とを係合させることにより着脱自在に取り付けている。
【０００４】
上記構成において、動作を説明すると、切り替えスイッチ部１３によりモーター７を回転させると、同モーター７に連結されたファン８が回転し、吸気口１ａより空気が吸い込まれる。吸引された空気流は活性炭フィルター１１ａと帯電フィルター１１ｂを合わせたフィルター１１の集塵装置を通り、排気口１２ａへと排気されて空気が脱臭、浄化されていく。
【０００５】
【発明が解決しようとする課題】
室内空気の汚れには、ほこりやたばこの煙、ウイルスを含む菌等の微生物、室外から入って来る自動車から排気された大気汚染物質（ＮＯｘ，ＳＯｘ等）を含んだ有害ガス成分、及びそれらに含まれる臭い成分等があるが、臭い成分については、脱臭用の活性炭フィルター１１ａで脱臭され、ほこり、煙等の粒子成分については、集塵用の帯電フィルター１１ｂによって浄化される。しかし、大気汚染物質（ＮＯｘ，ＳＯｘ等）を含んだ有害ガス成分については、脱臭用の活性炭フィルターの活性炭に化学薬品を添加することで一部除去はしているものの極少量であり、ほとんど浄化されていないのが現状である。
【０００６】
又、ウイルスを含む菌等の微生物についても大きい物は、集塵用の帯電フィルター１１ｂによって捕獲されるが、極少量でありほとんど浄化されていない。そして殺菌という点では、集塵用の帯電フィルターに抗菌処理を施すことで一部不活化しているが殺菌迄には至っていないのが現状である。
【０００７】
そして、たばこの煙やその他の汚れが吸気口や排気口の格子部や本体外壁に付着して汚れてしまい、布等による水拭きや乾拭き等では、容易に落ちないという問題も有していた。
【０００８】
そこで、本発明は、ウイルスを含む菌等の微生物の殺菌と大気汚染物質（ＮＯｘ，ＳＯｘ等）を含んだ有害ガス成分の除去を向上させると共に本体の汚れ防止、すなわち防汚と、本体に付着した汚れを布等による水拭きや乾拭き等で容易に清掃メンテナンス出来るようにすることを第一の目的とする。
【０００９】
【課題を解決するための手段】
上記目的を達成するために本発明は、モ―タ―ファンからなる電動送風装置、集塵装置を内蔵し、一部に吸排気口を有する本体外壁表面に光触媒処理を施し、前記吸排気口を構成する部材表面に光触媒処理を施し、前記本体を本体前、本体後で構成し、前記ファン表面に接触して流れる空気中の殺菌と有害ガス成分を除去するように前記ファンの表面に光触媒処理を施すと共に前記本体後を透明な材料で形成し、紫外線光を透過させ、空気中の亜硫酸ガスの有害ガス成分が光触媒により酸化されイオン化した酸化生成物に変えられ鉄系金属酸化物と結合して塩を生成し酸化生成物を捕捉することを特徴とし、そしてまた前記本体を構成する部材、前記吸排気口を構成する部材、及び前記ファンを形成する材料に光触媒処理材を練り込むことによって同光触媒処理を施すことにより、光触媒処理が施された面に紫外線を含む太陽光又は蛍光灯が照射されると光触媒が活性化されて、光触媒との接触反応によりウイルスを含む菌等の微生物を殺傷し、且つ有害ガス成分を酸化させて、光触媒処理を施した面に吸着させることにより有害ガス成分を除去するようにするものである。また、空気中の亜硫酸ガスの有害ガス成分が光触媒により酸化され、イオン化した酸化生成物に変えられ、鉄系金属酸化物と結合して塩を生成し、酸化生成物を捕捉する為、有害ガス成分の除去効果をより一層高めるものである。
【００１０】
また、上記に示す光触媒との接触反応によって有害ガス成分が酸化されて出来た酸化生成物を光触媒処理を施した面に付着させることにより、たばこの煙やその他の汚れが光触媒処理を施した吸気口や排気口の格子部、本体外壁面に付着するのを防止し、また付着したとしても剥離しやすい酸化生成物に付着させることで、布等による水拭きや乾拭き等で容易に清掃メンテナンス出来るようにするものである。
【００１６】
【発明の実施の形態】
本発明の請求項１記載の発明は、モ―タ―ファンからなる電動送風装置、集塵装置を内蔵し、一部に吸排気口を有する本体外壁表面に光触媒処理を施し、前記吸排気口を構成する部材表面に光触媒処理を施し、前記本体を本体前、本体後で構成し、前記ファン表面に接触して流れる空気中の殺菌と有害ガス成分を除去するように前記ファンの表面に光触媒処理を施すと共に前記本体後を透明な材料で形成し、紫外線光を透過させ、空気中の亜硫酸ガスの有害ガス成分が光触媒により酸化されイオン化した酸化生成物に変えられ鉄系金属酸化物と結合して塩を生成し酸化生成物を捕捉することを特徴とすることにより、光触媒処理を施したファン表面に接触して流れる空気中の殺菌と有害ガス成分を除去することが出来るものである。一部に吸排気口を有する本体外壁表面に光触媒処理を施すことにより、光触媒処理が施された面に紫外線を含む太陽光又は蛍光灯が照射されると光触媒が活性化されて、光触媒との接触反応によりウイルスを含む菌等の微生物を殺傷し、且つ有害ガス成分を酸化させて、光触媒処理を施した面に吸着させることにより有害ガス成分を除去させ、本体の周囲に漂って、本体外壁表面に接触している空気中の殺菌と有害ガス成分を除去することが出来るものであり、また、空気中の亜硫酸ガスの有害ガス成分が光触媒により酸化され、イオン化した酸化生成物に変えられ、鉄系金属酸化物と結合して塩を生成し、酸化生成物を捕捉する為、有害ガス成分の除去効果をより一層高めるものである。また、上記に示す光触媒との接触反応によって有害ガス成分が酸化されて出来た酸化生成物を光触媒処理を施した面に付着させることにより、たばこの煙やその他の汚れが光触媒処理を施した本体外壁面に付着するのを防止し、また付着したとしても剥離しやすい酸化生成物に付着させることで、布等による水拭きや乾拭き等で容易に清掃メンテナンス出来るものであり、吸排気口を構成する部材表面に光触媒処理を施すことにより、同様にして、光触媒処理を施した吸気口及び排気口を通過して、本体に吸排気される空気流中の殺菌と有害ガス成分が除去され、一部に吸排気口を有する本体の少なくとも吸気口か排気口のいずれか一方を構成する部材表面に光触媒処理を施すことにより、同様にして、光触媒処理を施した吸気口及び、排気口より本体に吸排気される空気流中の殺菌と有害ガス成分を除去することが出来るものであり、また、同様にして、たばこの煙やその他の汚れが光触媒処理を施した吸気口や排気口の格子部の面に付着するのを防止し、また付着したとしても剥離しやすい酸化生成物に付着させることで、布等による水拭きや乾拭き等で容易に清掃メンテナンス出来るものである。
【００１７】
本発明の請求項２記載の発明は、前記本体、前記吸排気口を構成する部材、前記ファンを形成する材料に光触媒処理材を練り込むことによって同光触媒処理を施すことにより、同様にして、本体の周囲に漂って本体外壁表面に接触している空気中や本体に吸排気される空気流中の殺菌と有害ガス成分を除去することが出来るものである。
【００１８】
また、同様にして、たばこの煙やその他の汚れが光触媒処理を施した本体外壁面に付着するのを防止し、また付着したとしても剥離しやすい酸化生成物に付着させることで、布等による水拭きや乾拭き等で容易に清掃メンテナンス出来るものである。
【００１９】
【実施例】
（実施例１）
以下本発明の第１の実施例を添付図面に基づいて説明する。なお従来例と同一構成部分については同一の符号を付して、説明を省略する。
【００２０】
２１は本体外壁表面となる面に二酸化チタンを主成分とする光触媒層を塗装等によって施したフロントグリル、２２は同様にして本体外壁表面となる面に光触媒処理を施した本体前、２３は同様にして本体外壁表面となる面に光触媒処理を施した本体後で、紫外線光を透過させる透明な樹脂材料で形成されている。２４はモーター７に連結されたファンで、同様にして外周全面に光触媒処理が施されている。２５は同様にして表面に光触媒処理を施した格子状の排気口１２ａを有する排気口グリルである。
【００２１】
上記構成による作用は以下の通りである。フロントグリル２１、本体前２２、本体後２３、排気口グリル２５から成る本体外壁表面に光触媒処理を施したことにより、空気清浄器本体が運転されている状態、停止されている状態に拘らず、光触媒処理が施された面に紫外線を含む太陽光又は蛍光灯が照射されると光触媒が活性化されて、活性酸素が発生する。この強い酸化力により光触媒処理が施された面、つまり本体外壁表面に接触している空気中の有機物を分解し、人体に有害な微生物を殺傷する。
【００２２】
また光触媒が活性化されると、本体の周囲に漂って本体外壁表面に接触している空気中の一酸化窒素（ＮＯ1 ）、二酸化窒素（ＮＯ2 ）、亜硫酸ガス（ＳＯ2 ）等の有害ガス成分が酸化され、硝酸イオン（ＮＯ3 ）、硫酸イオン（ＳＯ3 ）等のイオン化した酸化生成物に変えられ、光触媒処理を施した面に吸着される為、有害ガス成分を除去することが出来る。又、鉄系金属酸化物は前記イオンと結合して塩を生成し、酸化生成物を化学的に捕捉する為、有害ガス成分の除去効果をより一層高めるものである。
【００２３】
また、上記に示す様に、光触媒との接触反応によって本体周囲の有害ガス成分が酸化されて出来た酸化生成物が光触媒処理を施した面に付着される為、たばこの煙やその他の汚れが光触媒処理を施した本体外壁面に付着するのが防止され、また付着したとしても本体外壁面から剥離しやすい酸化生成物に付着される為、布等で水拭き、または乾拭きしただけで容易に本体外壁面を清掃することが出来る。
【００２４】
次に、空気清浄器本体が運転されている状態では、フロントグリル２１、排気口グリル２５から成る吸排気口を構成する部材表面に光触媒処理を施すことにより、同様にして、光触媒処理を施したフロントグリル２１の吸気口１ａ及び排気口グリル２５の排気口１２ａを通過して、本体に吸排気される空気流中の殺菌と有害ガス成分が除去される。
【００２５】
また、同様にして、たばこの煙やその他の汚れが光触媒処理を施したフロントグリル２１、排気口グリル２５の格子部の面に付着するのを防止し、また付着したとしても剥離しやすい酸化生成物に付着される為、布等で水拭き、または乾拭きしただけで容易に清掃することが出来る。
【００２６】
そして、透明な材料等で形成された本体後２３を紫外線光が透過して、外周全面に光触媒処理が施されたファン２４に照射される為、同様にして、光触媒処理を施したファン２４の表面に接触しながら流れる空気中の殺菌と有害ガス成分が除去される。
【００２７】
（実施例２）
次に本発明の第２の実施例を、図３、図４を用いて説明する。なお上記実施例と同一構成部分については同一の符号を付して、説明を省略する。
【００２８】
２６は本品を形成する樹脂材料に二酸化チタンを主成分とする光触媒材を練り込むことによって同光触媒処理を施したフロントグリル、２７は同様にして光触媒処理を施した本体前、２８は同様にして光触媒処理を施した本体後で、紫外線光を透過させる透明な樹脂材料で形成されている。２９はモーター７に連結されたファンで、同様にして光触媒処理が施されている。３０は同様にして光触媒処理を施した格子状の排気口１２ａを有する排気口グリルである。
【００２９】
上記構成による作用は、構成部品を形成する樹脂材料に二酸化チタンを主成分とする光触媒材を練り込むことによって同光触媒処理を施した為、上記第１の実施例と同様の効果が得られるものである。
【００３０】
なお、本実施例では、二酸化チタンを主成分とする光触媒を用いているが、他のものでもよく要は、光触媒との接触反応により殺菌と有害ガス成分を酸化させて、光触媒処理を施した面に吸着させることにより有害ガス成分を除去するようにすればよい。
【００３１】
また、本実施例では、モーターファンから成る電動送風装置及びフィルターから成る集塵装置を用いているが、他のものでもよく、同様の効果が得られるのは言うまでもないことである。
【００３２】
さらには、本実施例で既に記載したように、集塵装置のフィルター１１を脱臭用の活性炭フィルター１１ａと集塵用の帯電フィルター１１ｂより形成しており、脱臭器としての機能を含んだ空気清浄器について記載したものであり、当然脱臭器単機能のものであっても同様の効果が得られるのは言うまでもない。
【００３７】
【発明の効果】
本発明の請求項１記載の発明によれば、モ―タ―ファンからなる電動送風装置、集塵装置を内蔵し、一部に吸排気口を有する本体外壁表面に光触媒処理を施し、前記吸排気口を構成する部材表面に光触媒処理を施し、前記本体を本体前、本体後で構成し、前記ファン表面に接触して流れる空気中の殺菌と有害ガス成分を除去するように前記ファンの表面に光触媒処理を施すと共に前記本体後を透明な材料で形成し、紫外線光を透過させ、空気中の亜硫酸ガス等の有害ガス成分が光触媒により酸化されイオン化した酸化生成物に変えられ鉄系金属酸化物と結合して塩を生成し酸化生成物を捕捉することを特徴とすることにより、光触媒処理を施したファン表面に接触して流れる空気中の殺菌と有害ガス成分を除去する効果を有するものである。本体外壁表面に光触媒処理を施すことにより、光触媒処理が施された面に紫外線を含む太陽光又は蛍光灯が照射されると光触媒が活性化されて、光触媒との接触反応により有害ガス成分を酸化させて、光触媒処理を施した面に吸着させることにより有害ガス成分を除去させ、本体の周囲に漂って、本体外壁表面に接触している空気中の殺菌と有害ガス成分を除去する効果を有するものであり、また、空気中の亜硫酸ガスの有害ガス成分が光触媒により酸化され、イオン化した酸化生成物に変えられ、鉄系金属酸化物と結合して塩を生成し、酸化生成物を捕捉する為、有害ガス成分の除去効果をより一層高めるものであり、上記に示す光触媒との接触反応によって有害ガス成分が酸化されて出来た酸化生成物を光触媒処理を施した面に付着させることにより、たばこの煙やその他の汚れが光触媒処理を施した本体外壁面に付着するのを防止し、また付着したとしても剥離しやすい酸化生成物に付着させることで、布等による水拭きや乾拭き等で容易に清掃メンテナンス出来る効果を有するものである。また、少なくとも吸気口か排気口のいずれか一方を構成する部材表面に光触媒処理を施した吸気口及び排気口より本体に吸排気される空気流中の殺菌と有害ガス成分を除去する効果を有するものであり、同様にして、たばこの煙やその他の汚れが光触媒処理を施した吸気口や排気口の格子部の面に付着するのを防止し、また付着したとしても剥離しやすい酸化生成物に付着させることで、布等による水拭きや乾拭き等で容易に清掃メンテナンス出来る効果を有するものである。
【００３８】
本発明の請求項２記載の発明によれば、本体外壁を構成する部材、吸排気口を構成する部材、ファンを形成する材料に光触媒処理材を練り込むことによって同光触媒処理を施すことにより、同様にして、本体の周囲に漂って本体外壁表面接触している空気中や本体に吸排気される空気流中の殺菌と有害ガス成分を除去する効果を有するものである。
【００３９】
また、同様にして、たばこの煙やその他の汚れが光触媒処理を施した本体外壁面に付着するのを防止し、また付着したとしても剥離しやすい酸化生成物に付着させることで、布等による水拭きや乾拭き等で容易に清掃メンテナンス出来る効果を有するものである。
【図面の簡単な説明】
【図１】本発明の第１の実施例を示す空気清浄器の斜視図
【図２】同空気清浄器の側断面図
【図３】本発明の第２の実施例を示す空気清浄器の斜視図
【図４】同空気清浄器の側断面図
【図５】従来の技術例を示す空気清浄器の斜視図
【図６】同空気清浄器の側断面図
【符号の説明】
１  ２１  ２６    フロントグリル
１ａ              吸気口
２  ２２  ２７    本体前
３  ２３  ２８    本体後
７                モーター（送風装置）
８  ２４  ２９    ファン（送風装置）
１１              フィルター（集塵装置）
１２  ２５  ３０  排気口グリル
１２ａ            排気口
【図１】
0004513141.tif 000002
【図２】
0004513141.tif 000003
【図３】
0004513141.tif 000004
【図４】
0004513141.tif 000005
【図５】
0004513141.tif 000006
【図６】
0004513141.tif 000007